(57)【要約】【課題】アドレス管理をすることなく、非常に簡便な手法により照明負荷制御端末器と、スイッチ端末器の操作スイッチとを容易に対応付ける。【解決手段】照明負荷制御端末器２０は、当該照明負荷制御端末器２０を一意に特定する識別情報を記憶し、記憶した識別情報を可視光信号として送信するよう照明負荷５を制御し、スイッチ端末器３０は、可視光信号を受信し、受信した可視光信号として送信された識別情報を操作スイッチ３２に対応付けて記憶することで実現する。【選択図】図１
2008135223.tif 000002
【特許請求の範囲】
【請求項１】
照明負荷を制御する照明負荷制御端末器と、前記照明負荷に対応付けられ、前記照明負荷への制御要求を入力する操作スイッチを有するスイッチ端末器とを備える遠隔照明制御システムにおいて、
前記照明負荷制御端末器は、当該照明負荷制御端末器を一意に特定する識別情報を記憶する第１の記憶手段と、
前記第１の記憶手段によって記憶された識別情報を可視光信号として送信するよう前記照明負荷を制御する第１の制御手段とを有し、
前記スイッチ端末器は、前記可視光信号を受信する受信手段と、
前記受信手段によって受信された前記可視光信号として送信された識別情報を前記操作スイッチに対応付けて記憶する第２の記憶手段とを有すること
を特徴とする遠隔照明制御システム。
【請求項２】
前記照明負荷制御端末器は、前記識別情報を可視光信号として送信する可視光通信を実行する可視光通信モードと、可視光通信を停止する通常制御モードとを切り替えるモード切替スイッチを有すること
を特徴とする請求項１記載の遠隔照明制御システム。
【請求項３】
前記スイッチ端末器は、前記可視光信号の受信を許可する受信許可スイッチを有すること
を特徴とする請求項１又は請求項２記載の遠隔照明制御システム。
【請求項４】
前記スイッチ端末器は、前記操作スイッチを複数有する場合、
前記受信許可スイッチにより前記可視光信号の受信を許可してから、所望の操作スイッチを操作することで、前記可視光信号として送信された識別情報を、前記第２の記憶手段に所望の操作スイッチに対応付けて記憶させるよう制御する第２の制御手段を有すること
を特徴とする請求項３記載の遠隔照明制御システム。
【請求項５】
前記スイッチ端末器は、前記操作スイッチを複数有する場合、
前記操作スイッチ毎に前記受信手段と、前記受信許可スイッチとを有すること
を特徴とする請求項３記載の遠隔照明制御システム。
【請求項６】
前記スイッチ端末器は、固定設置される本体部と、
少なくとも前記操作スイッチ、前記受信手段、前記第２の記憶手段、前記受信許可スイッチを有し、前記本体部と無線通信を行う前記本体部に対して着脱可能な可搬型の操作部とからなり、
前記本体部は、前記操作部から無線通信により送信される識別情報を前記操作スイッチに対応付けて記憶する第３の記憶手段を有し、
前記操作部の操作スイッチによって入力される制御要求を、無線通信により受信して前記照明負荷制御端末器へと出力すること
を特徴とする請求項３記載の遠隔照明制御システム。
【請求項７】
前記操作部は、前記受信手段の受信感度を調整する受信感度調整手段を有すること
を特徴とする請求項６記載の遠隔照明制御システム。
【請求項８】
照明負荷を制御する照明負荷制御端末器と、前記照明負荷に対応付けられ、前記照明負荷への制御要求を入力する操作スイッチを有するスイッチ端末器とを備える遠隔照明制御システムにおいて用いられる可搬型の識別情報設定器であって、
前記照明負荷から、可視光信号として送信される前記照明負荷制御端末器を一意に特定する識別情報を受信する受信手段と、
前記受信手段によって受信された前記可視光信号として送信された識別情報を一つだけ記憶する記憶手段と、
前記記憶手段に記憶された識別情報を可視光信号として送信する送信手段とを備えること
を特徴とする識別情報設定器。
【請求項９】
前記記憶手段に記憶された識別情報を消去する消去手段を備えること
を特徴とする請求項８記載の識別情報設定器。
【発明の詳細な説明】
【技術分野】
【０００１】
本発明は、可視光信号による可視光通信により照明負荷を制御する照明負荷制御端末器と、照明負荷への制御要求を入力するスイッチ端末器との対応付けを図ることで照明の遠隔制御を実現する遠隔照明制御システム及び識別情報設定器に関する。
【背景技術】
【０００２】
負荷を制御する複数の制御端末器をそれぞれ一意に特定する固有のアドレスに対して、このアドレスを割り当てられた操作端末器のスイッチ操作に応じて、制御データを含む制御信号を多重伝送方式により送信することで、制御端末器に接続された負荷を制御する遠隔制御（遠隔監視制御）を行う遠隔監視制御システムが考案されている（例えば、特許文献１参照。）。
【０００３】
この遠隔監視制御システムは、例えば、店舗や工場、倉庫などといった広い空間に設けられた負荷である複数の照明器具を集中制御することができる照明制御システムである。このような、照明制御システムは、複数の照明器具をワイヤレス送信器で自在に遠隔操作したり、複数の照明器具の点灯、非点灯を一括して制御することができるユーザ利便性の高い制御システムとなっている。
【０００４】
このような、遠隔監視制御システムでは、操作端末器のスイッチ操作に応じて、制御端末器に接続された負荷の制御を実現するために、制御端末器と操作端末器とを対応付けるアドレスを設定する作業が必要である。このアドレス設定は、専用のアドレス設定器を用いて行われることになる。
【特許文献１】特開平５−２３３９９０号公報
【発明の開示】
【発明が解決しようとする課題】
【０００５】
上述した制御端末器と操作端末器とを対応付けるアドレスは、設定を誤ると簡単に不動作や、誤動作を引き起こしてしまうため、厳重なアドレス管理が必要となる。したがって、このようなアドレス設定を担うアドレス設定器は、高機能化により非常に高価なものとなってしまうといった問題がある。
【０００６】
また、このような高機能で高価なアドレス設定器を使用したとしても、互いに異なる空間に設置されていることが多い制御端末器と操作端末器の双方にアドレス設定を行う必要があるため非常に煩雑な作業を強いられてしまうといった問題がある。
【０００７】
そこで、本発明は、上述した実情に鑑みて提案されたものであり、アドレス管理をすることなく、非常に簡便な手法により照明負荷を制御する照明負荷制御端末器と、照明負荷への制御要求を入力する操作スイッチを有するスイッチ端末器とを容易に対応付けることができる遠隔照明制御システム及び識別情報設定器を提供することを目的とする。
【課題を解決するための手段】
【０００８】
本発明の遠隔照明制御システムは、照明負荷を制御する照明負荷制御端末器と、前記照明負荷に対応付けられ、前記照明負荷への制御要求を入力する操作スイッチを有するスイッチ端末器とを備える遠隔照明制御システムにおいて、前記照明負荷制御端末器は、当該照明負荷制御端末器を一意に特定する識別情報を記憶する第１の記憶手段と、前記第１の記憶手段によって記憶された識別情報を可視光信号として送信するよう前記照明負荷を制御する第１の制御手段とを有し、前記スイッチ端末器は、前記可視光信号を受信する受信手段と、前記受信手段によって受信された前記可視光信号として送信された識別情報を前記操作スイッチに対応付けて記憶する第２の記憶手段とを有することで、上述の課題を解決する。
【０００９】
また、本発明の遠隔照明制御システムは、前記照明負荷制御端末器が、前記識別情報を可視光信号として送信する可視光通信を実行する可視光通信モードと、可視光通信を停止する通常制御モードとを切り替えるモード切替スイッチを有することで、上述の課題を解決する。
【００１０】
また、本発明の遠隔照明制御システムは、前記スイッチ端末器が、前記可視光信号の受信を許可する受信許可スイッチを有することで、上述の課題を解決する。
【００１１】
また、本発明の遠隔照明制御システムは、前記スイッチ端末器が、前記操作スイッチを複数有する場合、前記受信許可スイッチにより前記可視光信号の受信を許可してから、所望の操作スイッチを操作することで、前記可視光信号として送信された識別情報を、前記第２の記憶手段に所望の操作スイッチに対応付けて記憶させるよう制御する第２の制御手段を有することで、上述の課題を解決する。
【００１２】
また、本発明の遠隔照明制御システムは、前記スイッチ端末器が、前記操作スイッチを複数有する場合、前記操作スイッチ毎に前記受信手段と、前記受信許可スイッチとを有することで、上述の課題を解決する。
【００１３】
また、本発明の遠隔照明制御システムは、前記スイッチ端末器が、固定設置される本体部と、少なくとも前記操作スイッチ、前記受信手段、前記第２の記憶手段、前記受信許可スイッチを有し、前記本体部と無線通信を行う前記本体部に対して着脱可能な可搬型の操作部とからなり、前記本体部が、前記操作部から無線通信により送信される識別情報を前記操作スイッチに対応付けて記憶する第３の記憶手段を有し、前記操作部の操作スイッチによって入力される制御要求を、無線通信により受信して前記照明負荷制御端末器へと出力することで、上述の課題を解決する。
【００１４】
また、本発明の遠隔照明制御システムは、前記操作部が、前記受信手段の受信感度を調整する受信感度調整手段を有することで、上述の課題を解決する。
【００１５】
本発明の識別情報設定器は、照明負荷を制御する照明負荷制御端末器と、前記照明負荷に対応付けられ、前記照明負荷への制御要求を入力する操作スイッチを有するスイッチ端末器とを備える遠隔照明制御システムにおいて用いられる可搬型の識別情報設定器であって、前記照明負荷から、可視光信号として送信される前記照明負荷制御端末器を一意に特定する識別情報を受信する受信手段と、前記受信手段によって受信された前記可視光信号として送信された識別情報を一つだけ記憶する記憶手段と、前記記憶手段に記憶された識別情報を可視光信号として送信する送信手段とを備えることで、上述の課題を解決する。
【００１６】
また、本発明の識別情報設定器は、前記記憶手段に記憶された識別情報を消去する消去手段を備えることで、上述の課題を解決する。
【発明の効果】
【００１７】
本発明の遠隔照明制御システムによれば、アドレス管理をすることなく、非常に簡便な手法により照明負荷を制御する照明負荷制御端末器と、照明負荷への制御要求を入力する操作スイッチを有するスイッチ端末器とを容易に対応付けることを可能とする。
【００１８】
また、本発明の遠隔照明制御システムによれば、切替スイッチを備えることで、必要のないときは可視光通信を停止させられるため、常に可視光通信をすることなく、必要以上に照明負荷を点滅させることによる照明負荷の短寿命化を回避することができ、遠隔照明監視システムを運用する際のコストを低減させることを可能とする。
【００１９】
また、切替スイッチにより、必要のないときは可視光通信を停止させられるため、照明負荷の寿命末期で発生するちらつきと、可視光通信の点滅（明暗）制御動作との重畳による悪影響を回避することを可能とする。
【００２０】
さらに、調光制御可能な照明負荷を演出用途で使用する場合などでも、信号制御の方式によっては明暗のちらつきが発生する場合には、切替スイッチにより設定作業時以外に可視光通信を停止させるようにすることで、良好な演出を実現できる。
【００２１】
また、本発明の遠隔照明制御システムによれば、照明負荷の照明光によって照明される領域の壁面にスイッチ端末器が設置されるような場合、受信許可スイッチの操作によって照明負荷から送信される可視光信号の受信が可能となり、照明負荷制御端末器の識別情報をスイッチ端末器に設定することで、スイッチ端末器と照明負荷とを対応付けることを可能とする。
【００２２】
また、本発明の遠隔照明制御システムによれば、一旦、識別情報を設定された操作スイッチの組み合わせによりスイッチ端末器の再構成が容易となる。また、調整次第で低コスト、省スペースでスイッチ端末器を構成することを可能とする。
【００２３】
また、本発明の遠隔照明制御システムによれば、スイッチ端末器の部品点数を最小限にすることができるため低コスト化を可能とする。
【００２４】
また、本発明の遠隔照明制御システムによれば、スイッチ端末器の本体部に対して操作部を着脱可能とし、操作部を可搬できることから、スイッチ端末器、照明負荷の設置位置に関わらず識別情報を容易に設定することができるため、照明負荷と操作スイッチとを容易に対応付けることを可能とする。
【００２５】
また、本発明の遠隔照明制御システムによれば、複数の可視光信号が混在（混信）する場合であっても、容易に分別することを可能とする。
【００２６】
また、本発明の識別情報設定器によれば、照明負荷から送信される可視光信号の届かない位置に設置されたスイッチ端末器に対して、容易に識別情報を設定することを可能とする。また、識別情報設定器は、照明負荷から送信される可視光信号によって識別信号を送信する場合と較べて、識別情報の設定をする作業が必要となるものの、従来のアドレス設定器と異なり、識別情報そのものを人によって管理する必要がなくなるため利便性を向上させることを可能とする。
【００２７】
また、本発明の識別情報設定器によれば、消去手段により誤操作による識別情報の誤設定を回避することを可能とする。
【発明を実施するための最良の形態】
【００２８】
以下、本発明の実施の形態について図面を参照して説明する。
【００２９】
図１を用いて、本発明の実施の形態として示す遠隔照明制御システムについて説明をする。図１に示すように、遠隔照明制御システムは、伝送親機１０と、照明負荷５が接続され、この照明負荷を制御する複数の照明負荷制御端末器２０と、照明負荷への制御要求を入力する操作スイッチを有する複数のスイッチ端末器３０Ａ，３０Ｂ（以下、総称する場合は単にスイッチ端末器３０と呼ぶ。）とが２線式の信号線ＳＬを介して接続されてなる。このような、遠隔照明制御システムは、所定のフォーマットの信号を伝送親機１０による集中制御方式で伝送することで照明負荷５に対する所望の照明制御を実現する。
【００３０】
図１に示す遠隔照明制御システムは、施工段階における、照明負荷５と、スイッチ端末器３０の各操作スイッチとの対応付けを、照明負荷制御端末器２０による制御によって照明負荷５の照明光を制御し、図２に示すように可視光信号による可視光通信をすることで実現する。具体的には、照明負荷制御端末器２０を一意に特定する識別情報を可視光信号として送信するよう照明負荷５を制御し、この可視光信号を受信したスイッチ端末器３０において各操作スイッチ３２ａ，３２ｂ（以下、総称する場合には単に操作スイッチ３２と呼ぶ。）と識別情報とを対応付けるように記憶させる。
【００３１】
このようにして、照明負荷５による可視光通信により、照明負荷５とスイッチ端末器３０の操作スイッチ３２ａ，３２ｂとの対応付けを容易に行うことができる。
【００３２】
なお、図１に示す伝送親機１０を備えた遠隔照明制御システムは、一例であって、本発明は、これに限定されるものではなく伝送親機１０を使用しない分散制御方式であってもよい。さらに、照明制御の伝送手法として電力線搬送などの方式を採用するようにしてもよい。また、照明負荷５としては、ＬＥＤ照明、白熱灯、蛍光灯など種別を問わず使用することができる。
【００３３】
図３を用いて、遠隔照明制御システムが備える照明負荷制御端末器２０と、スイッチ端末器３０の構成について説明をする。
【００３４】
図３に示すように照明負荷制御端末器２０は、切替スイッチ２１と、記憶部２２と、制御部２３とを備えている。
【００３５】
切替スイッチ２１は、記憶部２２に記憶された識別情報を読み出して可視光信号として送信する可視光通信モードと、可視光通信を停止し通常の照明制御を実行する通常制御モードとを切り替える動作モード切替スイッチである。図１に示すように、切替スイッチ２１は、例えば、ユーザが操作し易いように照明負荷制御端末器２０の本体表面に設けられている。
【００３６】
このような切替スイッチ２１を備えることで、必要のないときは可視光通信を停止させられるため、常に可視光通信をすることなく、必要以上に照明負荷５を点滅させることによる照明負荷５の短寿命化を回避することができ、遠隔照明監視システムを運用する際のコストを低減させることができる。
【００３７】
また、切替スイッチ２１により、必要のないときは可視光通信を停止させられるため、照明負荷５の寿命末期で発生するちらつきと、可視光通信の点滅（明暗）制御動作との重畳による悪影響を回避することができる。
【００３８】
さらに、調光制御可能な照明負荷５を演出用途で使用する場合などでも、信号制御の方式によっては明暗のちらつきが発生する場合には、切替スイッチ２１により設定作業時以外に可視光通信を停止させるようにすることで、良好な演出を実現できる。
【００３９】
記憶部２２は、例えば、ＲＯＭ（Read Only Memory）といった不揮発性メモリであり、照明負荷制御端末器２０を一意に特定する識別情報を記憶している。識別情報は、世界で唯一固有の値とするためにできるだけ桁数の大きい符号とし、記憶部２２に製造段階で記憶される。記憶部２２に記憶された識別情報は、切替スイッチ２１が、可視光通信モードとなっている場合に、制御部２３によって読み出される。
【００４０】
制御部２３は、当該照明負荷制御端末器２０を統括的に制御する制御手段である。制御部２３は、操作スイッチ３２から送信される制御要求に応じて、照明負荷５の照明制御を実行する。制御部２３は、既存の調光制御、例えば、位相制御方式や調光信号制御方式などの制御方式により、高速で照明負荷５の明暗を、または点灯、消灯を制御することができる。
【００４１】
特に、制御部２３は、切替スイッチ２１が可視光通信モードとなってるときには、記憶部２２に記憶されている識別情報を読み出し、読み出した識別情報を可視光信号として送信するよう照明負荷５を制御するコントローラとして機能する。制御部２３は、切替スイッチ２１が可視光通信モードとなっているとき、識別情報を所定のフォーマットの可視光信号として一方的に送信する。
【００４２】
制御部２３は、スイッチ端末器３０の操作スイッチ３２ａ，３２ｂの操作に応じてなされる識別情報を用いた制御要求に応じて、識別情報に対応付けられた照明負荷５を制御する。
【００４３】
また、制御部２３は、照明負荷５を制御している状態情報を定期的または要求に応じて遠隔照明制御システムの伝送上に出力する。
【００４４】
図４に、制御部２３により照明負荷５を位相制御する際の制御信号を示す。図４（ａ）は、照明負荷５の点灯、消灯を制御する際の制御信号を示した図であり、図４（ｂ）は、照明負荷５の明暗を制御する際の制御信号を示した図である。
【００４５】
また、図５は、識別情報を可視光信号にて送信するための制御信号の一例を示した図である。図５（ａ）は、明暗の時間の長さの割合で識別信号の各符号を表すようにした制御信号を示した図であり、図５（ｂ）は、単に明暗によって識別信号の各符号を表すようにした制御信号を示した図である。
【００４６】
また、図３に示すように、スイッチ端末器３０は、受光素子３１と、ユーザによって操作され制御要求を入力する操作スイッチ３２と、設定スイッチ３３と、記憶部３４と、制御部３５とを備えている。
【００４７】
受光素子３１は、照明負荷５から送信される可視光信号を受信（受光）する素子である。図１に示すように、受光素子３１は、スイッチ端末器３０の表面に設けられた受光窓３１ｗを介して可視光信号を受信する。
【００４８】
操作スイッチ３２は、ユーザによって操作され、記憶部３４に記憶された識別情報で識別される照明負荷制御端末器２０で制御される照明負荷５に対する制御要求を入力するためのスイッチである。図１に示すように、操作スイッチ３２は、スイッチ端末器３０の種別（スイッチ端末器３０Ａ，３０Ｂ）に応じて点灯、消灯用の操作スイッチ３２ａや調光用の操作スイッチ３２ｂなどがある。
【００４９】
設定スイッチ３３は、可視光信号の受信動作を必要時のみ実行するためのスイッチ、つまり可視光信号の受信を許可するためのスイッチである。例えば、図１に示すように、設定スイッチ３３は、プッシュ式スイッチなどであり、ユーザによる押下によって直ちに可視光信号の受信を開始する。記憶部３４に識別情報が記憶されると、制御部３５の制御によって可視光信号の受信を終了する。
【００５０】
記憶部３４は、例えば、フラッシュＲＯＭなどのような、読み書き可能な不揮発性メモリである。記憶部３４は、受光素子３１で受信された可視光信号から制御部３５により取り出された識別情報を記憶する。
【００５１】
制御部３５は、当該スイッチ端末器３０を統括的に制御する制御手段である。制御部３５は、受光素子３１で受信された可視光信号を検知・識別処理し識別情報を取り出し、記憶部３４に記憶させるよう制御する。
【００５２】
また、制御部３５は、操作スイッチ３２の操作に応じて、記憶部３４に記憶させた識別情報で対応付けられる照明負荷制御端末器２０に対して制御要求を出力する。
【００５３】
制御部３５は、記憶部３４に記憶された識別情報で特定される照明負荷制御端末器２０から負荷状態情報を受信した際、負荷状態情報に応じた制御を実行する。例えば、制御部３５は、図１に示すようにスイッチ端末器３０Ａの操作スイッチ３２ａとともに設けられたＬＥＤ表示灯Ｄ１の表示色を切り替えるなどの制御を実行し、照明負荷５の現在の状態をユーザに視覚的に提示する。
【００５４】
このように、照明負荷５の照明光によって照明される領域の壁面にスイッチ端末器３０が設置されるような場合、設定スイッチ３３の操作によって照明負荷５から送信される可視光信号の受信が可能となり、照明負荷制御端末器２０の識別情報をスイッチ端末器３０に設定することで、スイッチ端末器３０と照明負荷５とを対応付けることができる。
【００５５】
続いて、スイッチ端末器３０の３つのバリエーションについて説明をする。スイッチ端末器３０として、図１に示すようなスイッチ端末器３０Ａ，３０Ｂの他にも以下に示すような３つのバリエションを提案することができる。バリエーション１，２は、図１で示したスイッチ端末器３０Ｂのように、１つのスイッチ端末器３０に対して複数の操作スイッチ３２を設けたものであり、バリエーション３は、スイッチ端末器３０を壁面などに固定設置させるのではなく可搬できるようにしたものである。
【００５６】
（スイッチ端末器３０のバリエーション１）
スイッチ端末器３０の１つめのバリエーションは、図６に示すスイッチ端末器３０Ｃのように、受光窓３１ｗ、図示しない受光素子３１、操作スイッチ３２ａ、設定スイッチ３３、図示しない記憶部３４、制御部３５を備えるスイッチモジュール３０Ｍを、スイッチ本体３０Ｃ１に組み付けた構成となっている。このように構成されたスイッチ端末器３０Ｃは、複数の操作スイッチ３２ａを有することになる。
【００５７】
スイッチモジュール３０Ｍをスイッチ本体３０Ｃ１に組み付けた際、各スイッチモジュール３０Ｍの受光窓３１ｗは、遮蔽プレート３０Ｐをスイッチ本体３０Ｃ１に取り付けることで覆うことができる。これにより、所望のスイッチモジュール３０Ｍに対してのみ識別情報を設定することができる。
【００５８】
このように、スイッチ端末器３０Ｃは、一旦、識別情報を設定されたスイッチモジュール３０Ｍの組み合わせにより再構成が容易となる。スイッチ端末器３０Ｃは、調整次第で低コスト、省スペースで構成することができる。
【００５９】
なお、遠隔照明制御システムの共通事項として、図７（ａ）に示すように、複数の照明負荷５Ａ，５Ｂにより識別情報を送信する可視光信号Ｌ１，Ｌ２が一度に複数混在して存在する場合には、照明負荷制御端末器２０の切替スイッチ２１により通常制御モードとして可視光信号の送信を停止させるか、照明負荷５自体を取り外し可視光信号を送信できないようにするか、照明負荷５の電源を切断するなどして、図７（ｂ）に示すように１つの可視光信号Ｌ１のみを送信できるようにする。また、特別な道具がない場合には、光源である照明負荷５を物理的に遮るなどすれば複数の可視光信号が混在した状態に容易に対応することができる。
【００６０】
（スイッチ端末器３０のバリエーション２）
スイッチ端末器３０の２つめのバリエーションは、図８に示すスイッチ端末器３０Ｄのように、受光窓３１ｗ、図示しない受光素子３１、複数の操作スイッチ３２ａ、設定スイッチ３３、図示しない記憶部３４、制御部３５とを備えている。スイッチ端末器３０Ｄは、複数の各操作スイッチ３２ａ毎に異なる識別情報を設定することができる。図８に示すように、スイッチ端末器３０Ｄは、上述したスイッチ端末器３０Ｃと異なり、複数の操作スイッチ３２ａに対して受光窓３１ｗ（受光素子３１）、設定スイッチ３３がそれぞれ１つしかない。
【００６１】
したがって、各操作スイッチ３２ａ毎に異なる識別情報を設定するために、以下に示すような動作が必要となっている。また、記憶部３４は、異なる識別情報を記憶することができるように各操作スイッチ３２ａに対応した記憶領域に分割されている。
【００６２】
スイッチ端末器３０Ｄに各操作スイッチ３２ａ毎に異なる識別情報を設定するためには、まず、設定スイッチ３３を１回押下し、可視光信号として送信される識別情報を受信して記憶部３４に記憶させるための設定動作モードを開始させる。続いて、識別情報を設定したい操作スイッチ３２ａを操作することで、該当する操作スイッチ３２ａに対応する記憶部３４の記憶領域に識別情報を記憶させ登録させる。記憶部３４に識別情報が記憶されると、設定動作モードは、自動的に解除される。
【００６３】
このように、スイッチ端末器３０Ｄは、スイッチ端末器３０Ｃに較べ構成の自由度が低くなるが、部品点数を最小限にすることができるため低コスト化を実現できる。
【００６４】
（スイッチ端末器３０のバリエーション３）
スイッチ端末器３０の３つめのバリエーションは、図９に示すスイッチ端末器３０Ｅのように、壁面などに固定的に設置される本体部３０Ｅｂと、本体部３０Ｅｂとの着脱が自在な可搬型の操作部３０Ｅｈとからなる。図１０（ａ）に、本体部３０Ｅｂから操作部３０Ｅｈを取り外した様子を示す。また、図１０（ｂ）は、図１０（ａ）に示した操作部３０Ｅｈの表面に対する裏面を示した図である。また、図１１に示すように、操作部３０Ｅｈの裏面には、感度調整用ボリューム３７を設けるようにしてもよい。
【００６５】
上述したように、スイッチ端末器３０Ｅは、壁面などに固定的に設置される本体部３０Ｅｂに対して、操作部３０Ｅｈを本体部３０Ｅｂから取り外し、容易に持ち運ぶことができる。したがって、例えば、図１２に示すように、室内空間に設置された照明負荷５に対して、スイッチ端末器３０Ｅを室内空間外に設置する場合などに有効となる。照明負荷５とスイッチ端末器３０Ｅの操作スイッチ３２とを対応付ける場合には、本体部３０Ｅｂから操作部３０Ｅｈを取り外し、照明負荷５から送信される可視光信号を受信（受光）することができる領域内に取り外した操作部３０Ｅｈを持ち込むことで容易に実行可能となる。
【００６６】
続いて、図１３を用いて、スイッチ端末器３０Ｅの構成について説明をする。図１３に示すように、スイッチ端末器３０Ｅの操作部３０Ｅｈは、受光素子３１と、操作スイッチ３２と、設定スイッチ３３と、記憶部３４と、制御部３５と、無線送受信部３６と、感度調整用ボリューム３７と、電源３８とを備えている。なお、図３を用いて説明したスイッチ端末器３０と同一の機能部については、同一番号を付し説明を省略する。
【００６７】
制御部３５は、操作部３０Ｅｈを統括的に制御する制御手段である。制御部３５は、操作スイッチ３２の操作に応じて、操作スイッチ３２による制御要求を無線送受信部３６を介した無線通信により、本体部３０Ｅｂへと送信するよう制御する。また、制御部３５は、操作スイッチ３２の操作に応じて、記憶部３４に記憶された識別情報を無線送受信部３６を介した無線通信により、本体部３０Ｅｂへと送信するよう制御する。
【００６８】
無線送受信部３６は、当該操作部３０Ｅｈを本体部３０Ｅｂから取り外した際に、本体部３０Ｅｂの無線送受信部４１と無線通信を行う。例えば、無線送受信部３６は、無線通信により、記憶部３４に記憶された識別情報を本体部３０Ｅｂに送信する。無線送受信部３６の無線送受信部４１との無線通信は、例えば、赤外線式や電波式などであり、どのような無線通信方式であってもよい。
【００６９】
感度調整用ボリューム３７は、受光素子３１の受信（受光）感度を調整するための、例えば、図１１に示すようなスライド式のボリュームである。この感度調整用ボリューム３７は、例えば、図１４に示すように、可視光信号を送信する複数の照明負荷５Ａ，５Ｂが存在し、可視光信号が混在（混信）する場合や、外乱光ノイズからの悪影響が存在する場合などに使用する。具体的には、図１４に示すように、可視光信号を受信したい光源である照明負荷５Ａへと操作部３０Ｅｈを近付けるとともに、受光素子３１の感度を下げるように感度調整用ボリューム３７を操作する。これにより、照明負荷５Ａから送信される可視光信号Ｌ１の方が、照明負荷５Ｂから送信される可視光信号Ｌ２よりも支配的となり、さらに信号レベルの低くなった可視光信号Ｌ２を信号として検出されない状態とすることができる。このように、複数の可視光信号Ｌ１，Ｌ２が混在（混信）する場合であっても、容易に分別することができる。
【００７０】
図１３に示すように、本体部３０Ｅｂは、無線送受信部４１と、操作スイッチ４２と、制御部４３と、記憶部４４とを備えている。
【００７１】
無線送受信部４１は、当該本体部３０Ｅｂから操作部３０Ｅｈを取り外した際に、操作部３０Ｅｈの無線送受信部３６と無線通信を行う。例えば、無線送受信部４１は、無線通信により、操作部３０Ｅｈから送信される識別情報を受信する。
【００７２】
操作スイッチ４２は、操作部３０Ｅｈの操作スイッチ３２と同等の機能を有するスイッチであり、ユーザの操作によって制御要求を入力する。また、操作スイッチ４２は、記憶部４４に記憶された識別情報により照明負荷５と対応付けられている。
【００７３】
制御部４３は、当該本体部３０Ｅｂを統括的に制御する制御手段である。制御部４３は、操作スイッチ４２の操作、または操作部３０Ｅｈの操作スイッチ３２の操作に応じて、照明負荷制御端末器２０に対して制御要求を出力する。制御部４３は、操作スイッチ４２を操作した場合には、記憶部４４に記憶させた識別情報を読み出して制御信号を生成し、照明負荷制御端末器２０に送信する。
【００７４】
記憶部４４は、例えば、フラッシュＲＯＭなどのような、読み書き可能な不揮発性メモリである。記憶部４４は、無線通信により操作部３０Ｅｈから送信された識別情報を記憶する。
【００７５】
このように、スイッチ端末器３０Ｅは、本体部３０Ｅｂに対して操作部３０Ｅｈを着脱可能とし、操作部３０Ｅｈを可搬できることから、スイッチ端末器３０Ｅ、照明負荷５の設置位置に関わらず識別情報を容易に設定することができるため、照明負荷５とスイッチ端末器３０Ｅの操作スイッチ３２とを容易に対応付けることができる。
【００７６】
［識別情報設定器５０について］
続いて、遠隔照明制御システムにおいて、スイッチ端末器３０に識別情報を設定するための識別情報設定器５０について説明をする。
【００７７】
図１５に示すように識別情報設定器５０は、可視光信号受信部５１と、表示部５１Ｌと、受信ボタン５２と、可視光信号送信部５３と、表示部５３Ｌと、送信ボタン５４と、制御部５５と、記憶部５６と、消去ボタン５７と、感度調整用ボリューム５８と、当該識別情報設定器５０の各機能部に電力を供給する電源５９とを備えている。図１６は、識別情報設定器５０の外観を示した図である。図１６（ａ），（ｂ）は、それぞれ識別情報設定器５０の表面、裏面を示した図である。
【００７８】
このような識別情報設定器５０は、電源５９を内蔵しているため、可搬型であり持ち運びが自在となっている。図１６（ｂ）に示すように識別情報設定器５０には、電源スイッチ５９Ｓが設けられ、不必要な電源供給を制限できるようになっている。
【００７９】
可視光信号受信部５１は、受信ボタン５２の操作に応じて、照明負荷５から送信される可視光信号を受信する。
【００８０】
表示部５１Ｌは、ＬＥＤといった発光素子などであり、受信ボタン５２の操作に応じて、可視光信号受信部５１が、可視光信号を受信できる状態となった場合、点滅などをすることでユーザに受信状態を通知する。
【００８１】
可視光信号送信部５３は、送信ボタン５４の操作に応じて、照明負荷５から受信したものと同じ通信フォーマットの可視光信号を一定時間送信する。
【００８２】
表示部５３Ｌは、ＬＥＤといった発光素子などであり、送信ボタン５４の操作に応じて、可視光信号送信部５３が、可視光信号を送信している状態となった場合、点滅などをすることでユーザに送信状態を通知する。
【００８３】
制御部５５は、当該識別情報設定器５０を統括的に制御する制御手段である。
【００８４】
記憶部５６は、例えば、フラッシュＲＯＭなどのような、読み書き可能な不揮発性メモリである。記憶部５６は、可視光信号受信部５１で可視光信号として受信された識別情報を記憶する。記憶部５６には、可視光信号として送信された最新の識別情報が記憶される。
【００８５】
消去ボタン５７は、記憶部５６に記憶させた識別情報を消去するためのボタンである。消去ボタン５７を押下すると、記憶部５６に記憶させた識別情報を消去することができる。これにより、記憶部５６に識別情報を記憶させた状態で、送信ボタン５４の誤操作をするなどして不必要に識別情報を送信してしまうことを防止することができる。
【００８６】
感度調整用ボリューム５８は、上述したスイッチ端末器３０Ｅの操作部３０Ｅｈが有する感度調整用ボリューム３７と同様の機能であり、可視光信号受信部５１の受信感度を調整するための、例えば、図１６（ｂ）に示すようなスライド式のボリュームである。
【００８７】
このように、識別情報設定器５０は、可搬型であり、照明負荷５から可視光信号として送信される識別情報を受信して記憶部５６に記憶させることができる。また、記憶部５６に記憶させて識別情報を再び可視光信号として送信することができる。
【００８８】
したがって、識別情報設定器５０は、照明負荷５から送信される可視光信号の届かない位置に設置されたスイッチ端末器３０に対して、容易に識別情報を設定することができる。また、識別情報設定器５０は、照明負荷５から送信される可視光信号によって識別信号を送信する場合と較べて、識別情報の設定をする作業が必要となるものの、従来のアドレス設定器と異なり、識別情報そのものを人によって管理する必要がなくなるため利便性を向上させることができる。
【００８９】
例えば、不特定の人によって触れる場所では、紛失のおそれがあるため、上述した可搬型のスイッチ端末器３０Ｅを設置することは望ましくない。このような場合、壁面に固定
的にスイッチ端末器３０を設置することになるが、スイッチ端末器３０の設置位置によっては、可視光信号を照明負荷５から直接受信することができない場合がある。そのような場合、識別情報設定器５０を用いることで容易に識別情報をスイッチ端末器３０に設定することができる。
【００９０】
なお、識別情報設定器５０は、スイッチ端末器３０へ識別情報を設定することができるものであり、照明負荷制御端末器２０へ識別情報を設定することはできないようにする。
【００９１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００９２】
【図１】本発明の実施の形態として示す遠隔照明制御システムについて説明するための図である。
【図２】前記遠隔照明制御システムにおいて、照明負荷とスイッチ端末器とを設置した様子を示した図である。
【図３】前記遠隔照明制御システムの構成について説明するための図である。
【図４】前記遠隔照明制御システムで使用される制御信号の一例を示した図である。
【図５】識別情報を送信する可視光信号の一例を示した図である。
【図６】前記遠隔照明制御システムが備えるスイッチ端末器のバリエーションを示した図である。
【図７】前記遠隔照明制御システムにおいて、照明負荷から送信される可視光信号をスイッチ端末器で受信する様子を示した図である。
【図８】前記遠隔照明制御システムが備えるスイッチ端末器の別なバリエーションを示した図である。
【図９】前記遠隔照明制御システムが備えるスイッチ端末器のさらに別なバリエーションを示した図である。
【図１０】前記図９のスイッチ端末器において、本体部から操作部を取り外した様子を示した図である。
【図１１】前記図９のスイッチ端末器の操作部の裏面の様子を示した図である。
【図１２】前記図９のスイッチ端末器を設置した様子について示した図である。
【図１３】前記図９のスイッチ端末器の構成について説明するための図である。
【図１４】前記図９のスイッチ端末器の操作部に設けられた感度調整用ボリュームについて説明するための図である。
【図１５】前記遠隔照明制御システムで用いられる識別情報設定器の構成について説明するための図である。
【図１６】前記識別情報設定器の外観を示した図である。
【符号の説明】
【００９３】
５  照明負荷
２０  照明負荷制御端末器
２１  切替スイッチ
２２  記憶部
２３  制御部
３０  スイッチ端末器
３０Ａ  スイッチ端末器
３０Ｂ  スイッチ端末器
３０Ｃ  スイッチ端末器
３０Ｃ１  スイッチ本体
３０Ｄ  スイッチ端末器
３０Ｅ  スイッチ端末器
３０Ｅｂ  本体部
３０Ｅｈ  操作部
３０Ｍ  スイッチモジュール
３２  操作スイッチ
３３  設定スイッチ
３７  感度調整用ボリューム
５０  識別情報設定器
５７  消去ボタン
５８  感度調整用ボリューム
【図１】
2008135223.tif 000003
【図２】
2008135223.tif 000004
【図３】
2008135223.tif 000005
【図４】
2008135223.tif 000006
【図５】
2008135223.tif 000007
【図６】
2008135223.tif 000008
【図７】
2008135223.tif 000009
【図８】
2008135223.tif 000010
【図９】
2008135223.tif 000011
【図１０】
2008135223.tif 000012
【図１１】
2008135223.tif 000013
【図１２】
2008135223.tif 000014
【図１３】
2008135223.tif 000015
【図１４】
2008135223.tif 000016
【図１５】
2008135223.tif 000017
【図１６】
2008135223.tif 000018